(57)【要約】【課題】フォーカス調整可能照明器具を提供する。【解決手段】固定スリーブアセンブリ１００底部に光源を備えた発光ユニット３００を設置し、これに対する可動スリーブアセンブリ２００には、レンズ４００を固定すると共に固定スリーブアセンブリ１００内に設置して、可動スリーブアセンブリ２００と固定スリーブアセンブリ１００との間には螺旋溝５１０及びスライドほぞ５２０を設けた作動アセンブリ５００を設置する。螺旋溝５１０は、固定スリーブアセンブリ１００内壁面に沿って設けられ、可動スリーブアセンブリ２００を回転させて、可動スリーブアセンブリ２００外周面に設けられたスライドほぞ５２０が該螺旋溝５１０内を移動させることにより、軸方向に相対移動し、光源からの光束を拡散、収束させる。【選択図】図３
0003207711.tif 000002
【実用新案登録請求の範囲】
【請求項１】
固定スリーブアセンブリ、可動スリーブアセンブリ、発光ユニット、レンズ及び作動アセンブリからなり、
前記可動スリーブアセンブリは、前記固定スリーブアセンブリ内に設置されると共に該固定スリーブアセンブリに相対して軸方向及び周方向に可動であり、
前記発光ユニットは、該固定スリーブアセンブリに固定して設置され、
前記レンズは、該可動スリーブアセンブリに固定して設置され、
前記作動アセンブリは、該可動スリーブアセンブリと該固定スリーブアセンブリとの間に設けられて、螺旋溝及び該螺旋溝に沿って移動可能なスライドほぞを備え、
該可動スリーブアセンブリが該可動スリーブアセンブリの中心軸に沿って回転すると、該スライドほぞが該螺旋溝に沿って移動することにより、該可動スリーブアセンブリを該可動スリーブアセンブリの軸方向に沿って移動させることを特徴とするフォーカス調整可能照明器具。
【請求項２】
前記螺旋溝は、前記固定スリーブアセンブリに設置されると共に前記スライドほぞは、該可動スリーブアセンブリに設置されることを特徴とする請求項１に記載のフォーカス調整可能照明器具。
【請求項３】
前記螺旋溝は、前記可動スリーブアセンブリに設置されると共に前記スライドほぞは、該固定スリーブアセンブリに設置されることを特徴とする請求項１に記載のフォーカス調整可能照明器具。
【請求項４】
前記スライドほぞの先端には、ベアリングを設置し、且つ、該ベアリングは、前記螺旋溝の内壁に接触して移動可能とすることを特徴とする請求項２或いは３に記載のフォーカス調整可能照明器具。
【請求項５】
前記スライドほぞ内にはバネを収容し、前記ベアリングを前記前記螺旋溝の内壁に接触するように作用せしめることを特徴とする請求項４に記載のフォーカス調整可能照明器具。
【請求項６】
前記可動スリーブアセンブリは外フランジを延伸形成し、且つ該外フランジは、前記固定スリーブアセンブリの縦方向において、該固定スリーブアセンブリよりも突出させることを特徴とする請求項１に記載のフォーカス調整可能照明器具。
【請求項７】
前記外フランジは、前記固定スリーブアセンブリの横方向に、該固定スリーブアセンブリよりも突出せしめることを特徴とする請求項６に記載のフォーカス調整可能照明器具。
【請求項８】
前記可動スリーブアセンブリは、圧迫リングを螺接し、
該圧迫リングと該可動スリーブアセンブリとは共軸配置されて、且つ前記レンズの辺縁は、該圧迫リングと該可動スリーブアセンブリとの間で挟持されることを特徴とする請求項１に記載のフォーカス調整可能照明器具。
【請求項９】
前記レンズには、凹部を形成し、且つ該凹部は、前記発光ユニットの位置に対応して配置されることを特徴とする請求項１に記載のフォーカス調整可能照明器具。
【請求項１０】
前記フォーカス調整可能照明器具は、複数の作動アセンブリを備え、
該各作動アセンブリは、環状に且つ等間隔に配置されることを特徴とする請求項１に記載のフォーカス調整可能照明器具。
【請求項１１】
前記螺旋溝は、螺旋に沿って延伸し、且つその延伸弧角は３６０度以内であることを特徴とする請求項１に記載のフォーカス調整可能照明器具。
【考案の詳細な説明】
【技術分野】
【０００１】
本考案は、照明器具に関し、特にフォーカス調整可能な照明器具に関する。
【背景技術】
【０００２】
一般のフォーカス調整可能な照明器具は、ネジヤマにより相対して螺接される内スリーブ及び外スリーブを備える。
該内スリーブ内には、光源を設置し、かつ、該外スリーブには、光源に対応するレンズを設置する。
該内スリーブ及び該外スリーブが、相対回転すると、ネジヤマにより、該内スリーブ及び該外スリーブは移動し、これにより光源とレンズとの間隔距離は変化し、こうして光源の投射ルートは変化する。
【０００３】
しかし、ネジヤマに大きな傾斜角を配置できないため、一回転する度に移動可能な行程には限界がある。
そのため、非常に長い円周方向の行程を配置する必要があり、これによりネジヤマの磨擦距離が長くなりすぎ、容易に磨損してしまう。
さらに、回転のためには、オス／メスネジヤマ間に間隙が必要で、これにより作動精度が悪くなってしまう。
【先行技術文献】
【特許文献】
【０００４】
【特許文献１】特開２０１２−８９３９４号公報
【考案の概要】
【考案が解決しようとする課題】
【０００５】
本考案が解決しようとする課題は、フォーカス調整可能な照明器具を提供することである。
【課題を解決するための手段】
【０００６】
上記課題を解決するため、本考案は下記のフォーカス調整可能照明器具を提供する。
フォーカス調整可能照明器具は、固定スリーブアセンブリ、可動スリーブアセンブリ、発光ユニット、該可動スリーブアセンブリ固定して設置されるレンズ、作動アセンブリを備える。
該可動スリーブアセンブリは、該固定スリーブアセンブリ内に通して設置され、しかも該固定スリーブアセンブリに相対して可動できる。
該発光ユニットは、該固定スリーブアセンブリに固定して設置される。
該レンズは、可動スリーブアセンブリに固定して設置される。
該作動アセンブリは、該可動スリーブアセンブリと該固定スリーブアセンブリとの間に連接され、該作動アセンブリは、螺旋溝及びスライドほぞを備え、該スライドほぞは、該螺旋溝の内に通して設置される。
該可動スリーブアセンブリが該可動スリーブアセンブリの中心軸に沿って回転すると、該スライドほぞは、該螺旋溝に沿って移動し、該可動スリーブアセンブリを連動して、該可動スリーブアセンブリの軸方向に沿って移動させる。
本考案のフォーカス調整可能照明器具の作動アセンブリは、該固定スリーブアセンブリに設置される螺旋溝及び該可動スリーブアセンブリに設置されるスライドほぞを備え、該スライドほぞは、螺旋溝の内に通して設置され、しかも該螺旋溝に沿って移動できる。
該作動アセンブリも、該可動スリーブアセンブリに設置される螺旋溝、及び該固定スリーブアセンブリに設置されるスライドほぞを備え、該スライドほぞは、該螺旋溝の内に通して設置され、しかも該螺旋溝に沿って移動できる。
本考案のフォーカス調整可能照明器具のスライドほぞの先端には、ベアリングを設置し、しかも該ベアリングは、該螺旋溝の内壁に接触する。
該スライドほぞ内には、バネを収容し、該バネの二端は、該ベアリング、及び該スライドほぞの、先端に相対するもう一端にそれぞれ接触する。
本考案のフォーカス調整可能照明器具の可動スリーブアセンブリは、圧迫リングを螺接し、該圧迫リングと該可動スリーブアセンブリとは共軸配置を呈し、しかも該レンズの辺縁は、該圧迫リングと該可動スリーブアセンブリとの間に挟持される。
本考案のフォーカス調整可能照明器具の可動スリーブアセンブリは、外フランジを延伸し、しかも該外フランジは、該固定スリーブアセンブリの縦方向上において、該固定スリーブアセンブリから突出し、該外フランジは、該固定スリーブアセンブリの横方向上においても、該固定スリーブアセンブリから突出する。
該レンズには、凹部を形成し、しかも該凹部は、該発光ユニットの位置に対応して配置される。
本考案のフォーカス調整可能照明器具は、複数の作動アセンブリを備え、しかも該各作動アセンブリは、環状を呈し、しかも等間隔に配置される。
該螺旋溝は、螺旋に沿って延伸し、しかもその延伸弧角は３６０度以内である。
【考案の効果】
【０００７】
本考案のフォーカス調整可能照明器具により、使用者は可動スリーブアセンブリの外フランジを回すことで、スライドほぞに、螺旋溝の相対作動を対応させ、可動スリーブアセンブリは固定スリーブアセンブリに相対して中心軸に沿って移動し、光線投射ルートを変えることができる。
【図面の簡単な説明】
【０００８】
【図１】本考案第一実施形態のフォーカス調整可能照明器具の立体分解模式図である。
【図２】本考案第一実施形態のフォーカス調整可能照明器具の立体模式図である。
【図３】本考案第一実施形態のフォーカス調整可能照明器具の縦方向断面模式図である。
【図４】本考案第一実施形態のフォーカス調整可能照明器具の一使用状態の模式図である。
【図５】本考案第一実施形態のフォーカス調整可能照明器具の別種の使用状態の模式図である。
【図６】本考案第二実施形態のフォーカス調整可能照明器具の立体分解模式図である。
【図７】本考案第二実施形態のフォーカス調整可能照明器具の立体模式図である。
【図８】本考案第二実施形態のフォーカス調整可能照明器具の縦方向断面模式図である。
【図９】本考案第二実施形態のフォーカス調整可能照明器具の一使用状態の模式図である。
【図１０】本考案第二実施形態のフォーカス調整可能照明器具の別種の使用状態の模式図である。
【考案を実施するための形態】
【０００９】
以下に図面を参照しながら本考案を実施するための最良の形態について詳細に説明する。
【実施例】
【００１０】
図１〜図５に示すように、本考案第一実施形態によるフォーカス調整可能照明器具は、固定スリーブアセンブリ１００、可動スリーブアセンブリ２００、発光ユニット３００、レンズ４００及び少なくとも１個の作動アセンブリ５００を備える。
【００１１】
本実施形態中では、該固定スリーブアセンブリ１００は好ましくは、一端が開放状になった円筒で、その相対する二端はそれぞれ、開放状を呈する開口端１１０及び封鎖状を呈する底端１２０で、かつ、その底端１２０には、少なくとも１個の穿孔１２１をさらに開設し、ひも通しに用いる。
【００１２】
本実施形態中では、該可動スリーブアセンブリ２００は好ましくは、両端が開放状の円筒で、その相対する二端はそれぞれ、外端２１０及び内端２２０である。
【００１３】
該可動スリーブアセンブリ２００の外端２１０には、投射口２０１を有し、且つ該外端２１０内には、内フランジ２３１を形成する。
【００１４】
該外端２１０の内径は、該内フランジ２３１から該外端２１０の投射口２０１へと拡張する。
【００１５】
さらに、該外端２１０の内フランジ２３１と該投射口２０１との間の内側壁面には、階段状のグレア防止構造２５０を設置する。
【００１６】
該グレア防止構造２５０は、光線を反射する方式で、光線の投射ルートを調整し、グレア防止の効果を達成する。
【００１７】
該可動スリーブアセンブリ２００の内端２２０の内側壁面には、ネジヤマを設置し、これにより圧迫リング２４０を螺接し、且つ、該圧迫リング２４０と該可動スリーブアセンブリ２００とは共軸配置とする。
【００１８】
該可動スリーブアセンブリ２００は、該固定スリーブアセンブリ１００内に共軸で通して設置され、かつ中心軸に沿って、該固定スリーブアセンブリ１００に相対して移動可能とする。
【００１９】
該可動スリーブアセンブリ２００の内端２２０は、該固定スリーブアセンブリ１００の底端１２０に向けて配置される。
【００２０】
該可動スリーブアセンブリ２００の外端２１０は、径方向に外フランジ２３２を延伸形成し、該外フランジ２３２は、前記固定スリーブアセンブリ１００の縦方向上において、該固定スリーブアセンブリ１００から突出する。
【００２１】
さらに、該外フランジ２３２は、該固定スリーブアセンブリ１００の横方向上においても、該固定スリーブアセンブリ１００から突出する。
【００２２】
本実施形態中では、該発光ユニット３００は好ましくは、発光ダイオードであるが、これに限定せず、該発光ユニット３００は、該固定スリーブアセンブリ１００の底端１２０の内側に固定して設置され、且つ該開口端１１０に向けて配置される。
【００２３】
本実施形態中では、前記レンズ４００は、入光側４１０及び出光側４２０を備え、該入光側４１０には、凹部４１１を陥没状に形成する。
【００２４】
該レンズ４００辺縁は、前記圧迫リング２４０及び前記可動スリーブアセンブリ２００の内フランジ２３１に挟持されて、該可動スリーブアセンブリ２００の内に固定され、且つ、該凹部４１１は、前記発光ユニット３００の位置に対応して、該発光ユニット３００に向けて配置される。
【００２５】
本実施形態中では、好ましくは、三組の構造及び機能が完全に相同の作動アセンブリ５００を備える。
【００２６】
該各作動アセンブリ５００は、前記固定スリーブアセンブリ１００の内側と前記可動スリーブアセンブリ２００の外側との間にそれぞれ連接される。
【００２７】
更に、該各作動アセンブリ５００は、環状を呈し、且つ等間隔で配置される。
【００２８】
以下に、その内の一つの作動アセンブリ５００を用いて、その構造及び作動方式について説明する。
【００２９】
本実施形態中では、該各作動アセンブリ５００は、固定スリーブアセンブリ１００内壁面上に形成される螺旋溝５１０及び該螺旋溝５１０に対応して、前記可動スリーブアセンブリ２００に設置されるスライドほぞ５２０を備える。
【００３０】
該螺旋溝５１０は、螺旋線に沿って延伸するが、その延伸弧角は好ましくは、３６０度以内である。
【００３１】
本実施形態中では、スライドほぞ５２０は、中空柱体を呈し、且つ開放状の先端５２１を備え、スライドほぞ５２０内に、バネ５２３及びベアリング５２２を収容して設置する。
【００３２】
該ベアリング５２２は、該スライドほぞ５２０の先端５２１に配置され、且つ該ベアリング５２２の直径は、該スライドほぞ５２０先端５２１の口径より大きい。
【００３３】
該バネ５２３の両端は、該ベアリング５２２及び該スライドほぞ５２０の、先端５２１に相対する他端に接触する。
【００３４】
該スライドほぞ５２０の先端５２１は、該可動スリーブアセンブリ２００の外側壁面から突出して対応する螺旋溝５１０内に進入する。
【００３５】
該ベアリング５２２は、該螺旋溝５１０の内壁に接触し、これにより該スライドほぞ５２０は、該螺旋溝５１０に沿って移動できる。
【００３６】
図３〜図５に示すように、本考案のフォーカス調整可能照明器具において、使用者が該可動スリーブアセンブリ２００の外フランジ２３２を回すと、該可動スリーブアセンブリ２００は該固定スリーブアセンブリ１００に相対して、中心軸の廻りに回転移動する。
【００３７】
使用者が該外フランジ２３２を回すと、該可動スリーブアセンブリ２００は、その中心軸の廻りに回転する。
【００３８】
これにより、該作動アセンブリ５００のスライドほぞ５２０は、該螺旋溝５１０に沿って移動する。
【００３９】
従って、該固定スリーブアセンブリ１００或いは該可動スリーブアセンブリ２００の間には、軸方向の移動を生じる。
【００４０】
これにより、該可動スリーブアセンブリ２００を連動してその軸方向に沿って移動させることができる。
【００４１】
前述の動作は、該発光ユニット３００と該レンズ４００との間隔距離の変化をもたらし、これにより該発光ユニット３００は、光線が該レンズ４００を通過した後のルートの改変を生じる。
【００４２】
図６〜図１０に示すように、本考案の第二実施形態によるフォーカス調整可能照明器具は、固定スリーブアセンブリ１００、可動スリーブアセンブリ２００、発光ユニット３００、レンズ４００及び作動アセンブリ５００を備える。
【００４３】
本実施形態中では、該固定スリーブアセンブリ１００は好ましくは、一端が開放状になった円筒で、その相対する両端はそれぞれ、開放状を呈する開口端１１０及び封鎖状を呈する底端１２０で、且つその底端１２０には、少なくとも１個の穿孔１２１をさらに開設し、ひも通しに用いる。
【００４４】
本実施形態中では、該可動スリーブアセンブリ２００は好ましくは、両端が開放状の円筒で、その相対する二端はそれぞれ、外端２１０及び内端２２０である。
【００４５】
該可動スリーブアセンブリ２００の外端２１０の内側壁上には、ネジヤマを設置し、これにより圧迫リング２４０を螺接する。
【００４６】
さらに、該圧迫リング２４０と該可動スリーブアセンブリ２００とは共軸配置を呈し、該可動スリーブアセンブリ２００の内端２２０の内側壁面には、内フランジ２３１を形成する。
【００４７】
該圧迫リング２４０の一側には、投射口２０１を有し、該投射口２０１は、該可動スリーブアセンブリ２００の外端２１０の内側に配置され、該圧迫リング２４０の内壁は、錐状を呈する。
【００４８】
該圧迫リング２４０の内径は、該可動スリーブアセンブリ２００の内から該投射口２０１へと拡張し、該圧迫リング２４０の内側壁面には、階段状のグレア防止構造２５０を設置する。
【００４９】
該グレア防止構造２５０は、光線を反射する方式で、光線の投射ルートを調整し、グレア防止の効果を達成する。
【００５０】
該可動スリーブアセンブリ２００は、該固定スリーブアセンブリ１００内に共軸で通して設置され、且つ中心軸に沿って、該固定スリーブアセンブリ１００に相対して移動可能である。
【００５１】
該可動スリーブアセンブリ２００の内端２２０は、該固定スリーブアセンブリ１００の底端１２０に向けて配置される。
【００５２】
該可動スリーブアセンブリ２００の外端２１０は、径方向に該外フランジ２３２を延伸し、外フランジ２３２は、該固定スリーブアセンブリ１００の縦方向において、該固定スリーブアセンブリ１００から突出する。
【００５３】
更に、該外フランジ２３２は、該固定スリーブアセンブリ１００の横方向においても、該固定スリーブアセンブリ１００から突出する。
【００５４】
本実施形態中では、該発光ユニット３００は好ましくは、発光ダイオードであるが、これに限定せず、該発光ユニット３００は、該固定スリーブアセンブリ１００の底端１２０の内側に固定して設置され、且つ該開口端１１０に向けて配置される。
【００５５】
本実施形態中では、前記レンズ４００は、入光側４１０及び出光側４２０を備え、該入光側４１０には、凹部４１１を陥没状に形成する。
【００５６】
該レンズ４００辺縁は、該圧迫リング２４０及び該可動スリーブアセンブリ２００の内フランジ２３１に挟持され、該可動スリーブアセンブリ２００の内側に固定される。
【００５７】
さらに、該凹部４１１は、相対する該発光ユニット３００の位置に対応し、該発光ユニット３００に向けて配置される。
【００５８】
本実施形態中では、好ましくは、三組の構造及び機能が完全に相同の作動アセンブリ５００を備える。
【００５９】
該各作動アセンブリ５００は、前記固定スリーブアセンブリ１００の内側と前記可動スリーブアセンブリ２００の外側との間にそれぞれ連接される。
【００６０】
さらに、該各作動アセンブリ５００は、環状に、且つ等間隔で配置され、以下において、その内の一つの作動アセンブリ５００を用いて、その構造及び作動方式について説明する。
【００６１】
本実施形態中では、各作動アセンブリ５００は、該可動スリーブアセンブリ２００外壁面に形成される螺旋溝５１０、及び該螺旋溝５１０に対応し、該固定スリーブアセンブリ１００に設置されるスライドほぞ５２０を備える。
【００６２】
該螺旋溝５１０は、螺旋線に沿って延伸するが、その延伸弧角は好ましくは、３６０度以内である。
【００６３】
本実施形態中では、スライドほぞ５２０は、中空柱体を呈し、かつ開放状の先端５２１を備え、スライドほぞ５２０内に、バネ５２３及びベアリング５２２を収容して設置する。
【００６４】
該ベアリング５２２は、該スライドほぞ５２０の先端５２１に配置され、しかも該ベアリング５２２の直径は、該スライドほぞ５２０先端５２１の口径より大きい。
【００６５】
該バネ５２３の両端は、それぞれ該ベアリング５２２、及び該スライドほぞ５２０の、先端５２１に相対する他端に接触する。
【００６６】
該スライドほぞ５２０の先端５２１は、該可動スリーブアセンブリ２００の外側壁面から突出し、且つ対応する螺旋溝５１０内に進入する。
【００６７】
該ベアリング５２２は、該螺旋溝５１０の内壁に接触し、これにより該スライドほぞ５２０は、該螺旋溝５１０に沿って移動できる。
【００６８】
さらに、該スライドほぞ５２０は好ましくは、該固定スリーブアセンブリ１００の内壁に嵌めて設置され、該固定スリーブアセンブリ１００の外観を損なわず、よって水分の浸入を回避できる。
【００６９】
図８〜図１０に示すように、本考案のフォーカス調整可能照明器具において、使用者が該可動スリーブアセンブリ２００の外フランジ２３２を回すと、該可動スリーブアセンブリ２００は該固定スリーブアセンブリ１００に相対して、中心軸の廻りに移動する。
【００７０】
使用者が該外フランジ２３２を回すと、該可動スリーブアセンブリ２００は、その中心軸の廻りに回転する。
【００７１】
これにより、該作動アセンブリ５００のスライドほぞ５２０は、該螺旋溝５１０に沿って移動し、該固定スリーブアセンブリ１００或いは該可動スリーブアセンブリ２００に沿って、軸方向の移動を生じる。
【００７２】
こうして、該可動スリーブアセンブリ２００を連動し、その軸方向に沿って移動させられる。
【００７３】
前述の動作は、該発光ユニット３００と該レンズ４００との間隔距離の変化をもたらし、これにより該発光ユニット３００は、光線が該レンズ４００を通過した後のルートの改変を生じる。
【００７４】
本考案のフォーカス調整可能照明器具において、使用者が該可動スリーブアセンブリ２００の外フランジ２３２を回すと、該スライドほぞ５２０により該螺旋溝５１０に相対して作動し、該可動スリーブアセンブリ２００は該固定スリーブアセンブリ１００に相対して中心軸に沿って移動し、これにより光線投射ルートを改変する。
【００７５】
該螺旋溝５１０は、ネジヤマに比べ、より大きな傾斜角を配置できるため、こうして該螺旋溝５１０の行程を減らし、該スライドほぞ５２０と該螺旋溝５１０との間の磨損速度を遅くすることができる。
【００７６】
該ベアリング５２２は、該螺旋溝５１０に接触し、該スライドほぞ５２０と該螺旋溝５１０との間の磨擦抵抗力を減らすことができ、しかも間隙を消去し、作動の精度を向上させられるため、本考案のフォーカス調整可能照明器具は使用寿命が長く、高い精度を備える。
【００７７】
さらに、本考案のフォーカス調整可能照明器具の可動スリーブアセンブリ２００は、同時に回転及び移動できるため、光線投射ルートの調整時には、単一のアセンブリを移動させるだけでよく、移動させるアセンブリが少なければ、作動の精度も高くなる。
【００７８】
該レンズ４００上に設置する凹部４１１内には、該発光ユニット３００を入れられるため、該可動スリーブアセンブリ２００の軸方向行程はより長くなる。
【００７９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００８０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００８１】
１００  固定スリーブアセンブリ
１１０  開口端
１２０  底端
１２１  穿孔
２００  可動スリーブアセンブリ
２０１  投射口
２１０  外端
２２０  内端
２３１  内フランジ
２３２  外フランジ
２４０  圧迫リング
２５０  グレア防止構造
３００  発光ユニット
４００  レンズ
４１０  入光側
４１１  凹部
４２０  出光側
５００  作動アセンブリ
５１０  螺旋溝
５２０  スライドほぞ
５２１  先端
５２２  ベアリング
５２３  バネ
【図１】
0003207711.tif 000003
【図２】
0003207711.tif 000004
【図３】
0003207711.tif 000005
【図４】
0003207711.tif 000006
【図５】
0003207711.tif 000007
【図６】
0003207711.tif 000008
【図７】
0003207711.tif 000009
【図８】
0003207711.tif 000010
【図９】
0003207711.tif 000011
【図１０】
0003207711.tif 000012